(57)【要約】【課題】放射性物質の拡散状況を容易に把握できるようにする。【解決手段】それぞれ異なる移動車両に搭載されて放射線量を測定する複数の測定装置１００と、複数の測定装置１００が測定した放射線量に対応する複数の測定データを管理するデータ管理装置２００と、測定装置１００が測定したデータに関連する画像を表示する表示装置３００とを備える測定システム１０を提供する。データ管理装置２００は、複数の測定装置１００が複数の位置において測定した放射線量、複数の測定装置１００が測定した位置に対応する位置情報、及び、複数の測定装置１００が測定した日時に対応する日時情報に基づいて生成された画像を表示装置３００に表示させる。【選択図】図１
2013200221.tif 000002
【特許請求の範囲】
【請求項１】
それぞれ異なる移動車両に搭載されて放射線量を測定する複数の測定装置と、
前記複数の測定装置が測定した前記放射線量に対応する複数の測定データを管理するデータ管理装置と、
前記測定装置が測定したデータに関連する画像を表示する表示装置と
を備える測定システムであって、
前記複数の測定装置は、
複数の位置における前記放射線量を測定する測定部と、
前記測定部が前記放射線量を測定した前記複数の位置を示す複数の位置情報と、前記測定部が前記放射線量を測定した日時を示す日時情報とを取得する情報取得部と、
前記測定部が測定した前記放射線量、前記位置情報及び前記日時情報に基づいて前記複数の測定データを生成するデータ生成部と、
前記複数の測定データを前記データ管理装置に送信する通信制御部と
を有し、
前記データ管理装置は、
前記複数の測定装置から前記複数の測定データを受信する送受信部と、
前記複数の測定データを記憶する記憶部と、
前記表示装置から、前記表示装置のユーザにより選択された期間を示す期間情報を取得する期間情報取得部と、
前記複数の測定データに基づいて、前記期間情報に対応する測定画像を生成する測定画像生成部と、
前記複数の測定画像を前記表示装置に送信する画像送信部と
を有し、
前記表示装置は、
地図画像を取得する地図画像取得部と、
前記期間情報を取得する指示取得部と、
前記期間情報を前記データ管理装置に送信する情報送信部と、
前記データ管理装置から、前記期間情報に対応する前記測定画像を取得する測定画像取得部と、
前記地図画像に前記測定画像が重畳された表示画像を表示する画像表示部と
を有する測定システム。
【請求項２】
前記測定画像生成部は、前記送受信部が前記測定装置から前記測定データを受信するたびに前記測定画像を生成し、
前記画像表示部は、前記データ管理装置から前記測定画像を受信するたびに前記表示画像を更新する請求項１に記載の測定システム。
【請求項３】
前記情報取得部は、前記移動車両の走行経路情報をさらに取得し、
前記測定画像生成部は、前記走行経路情報に基づいて前記測定画像を生成する請求項１又は２に記載の測定システム。
【請求項４】
前記データ管理装置は、前記測定データを補正する補正部をさらに有し、
前記送受信部は、前記複数の測定装置が予め定められた基準位置で測定した前記放射線量に対応する基準測定データを受信し、
前記記憶部は、前記基準位置で測定された前記放射線量の基準データを記憶し、
前記補正部は、前記基準測定データ及び前記基準データに基づいて前記測定装置に対応する補正係数を生成し、
前記測定画像生成部は、前記補正係数に基づいて前記測定画像を生成する請求項１から３のいずれか一項に記載の測定システム。
【請求項５】
前記測定装置は、前記放射線量に応じて表示態様を変化させる放射線量表示部をさらに有し、
前記データ管理装置は、前記表示態様を変化させる前記放射線量の閾値を生成する閾値生成部をさらに有し、
前記放射線量表示部は、前記通信制御部が受信した前記閾値と前記測定部が測定した前記放射線量とに応じて前記表示態様を変化させる請求項１から４のいずれか一項に記載の測定システム。
【請求項６】
前記データ管理装置は、前記測定装置が前記放射線量を測定する予定の位置における前記放射線量の予測値を算出する予測値算出部をさらに有し、
前記送受信部は、前記測定装置から現在の前記位置情報を取得し、
前記予測値算出部は、前記記憶部が記憶している前記複数の測定データ及び前記送受信部が取得した前記現在の位置情報に基づいて前記予測値を算出し、
前記閾値生成部は、前記予測値に基づいて前記閾値を生成する請求項５に記載の測定システム。
【請求項７】
前記通信制御部は、前記測定部が前記放射線量を測定する測定間隔よりも長い送信間隔で前記測定データを前記データ管理装置に送信する請求項１から６のいずれか一項に記載の測定システム。
【請求項８】
コンピュータに、それぞれ異なる移動車両に搭載された複数の測定装置が複数の位置において測定した放射線量、前記複数の測定装置が測定した位置に対応する位置情報、及び、前記複数の測定装置が測定した日時に対応する日時情報に基づいて生成された画像を表示装置に表示させるプログラムであって、
前記プログラムは、前記コンピュータに、
前記放射線量に基づいて生成された、前記放射線量、前記位置情報及び前記日時情報を含む複数の測定データを受信するステップと、
前記表示装置のユーザにより選択された期間を示す期間情報を取得するステップと、
前記複数の測定データに基づいて、前記期間情報に対応する測定画像を生成するステップと、
前記測定画像を前記表示装置に表示させるステップと
を実行させるデータ管理プログラム。
【発明の詳細な説明】
【技術分野】
【０００１】
本発明は、放射線量を測定する測定システム、及び、当該測定システムにおける測定データを管理するためのデータ管理プログラムに関する。
【背景技術】
【０００２】
放射性物質の拡散状況を監視する手段として、原子力関連施設周辺に固定の観測局が設置され、定常的に放射線量が監視されている。ところが、放射線量を高精度で観測する観測局を建設するには多額の費用を要するので、観測局の数は限られている。放射性物質の拡散状況は、放射性物質の量及び気象条件によって大きく左右されるので、限られた数の固定の観測局による監視では不十分であった。
【０００３】
そこで、観測局以外の監視ポイントに移動することができる移動観測車を用いて、放射性物質の拡散状況を測定するシステムが提案されている。特許文献１においては、車で移動しながら測定した放射性物質の拡散状況を地図に表示する技術が開示されている。また、特許文献２には、空間線量率及び放射性物質の濃度を測定し、測定したデータを地図上に表示する技術が開示されている。
【特許文献１】特開２００１−１５３９５２号公報
【特許文献２】特開２０１０−２６６３０４号公報
【発明の概要】
【発明が解決しようとする課題】
【０００４】
放射性物質による被害を抑制するには、放射性物質の拡散状況を正確に把握するとともに、放射性物質の拡散状況の変化の様子に基づいて、避難場所を選択したり、放射線量が増える条件を把握したりすることが重要である。しかし、従来の方法によれば、地図に表示された測定データを見ることによって、測定された各地点における放射線強度を把握することはできるものの、さまざまな地点における放射性物質の拡散状況の変化の様子を柔軟に把握することが困難であった。
【０００５】
そこで、本発明はこれらの点を鑑みてなされたものであり、本測定システムのユーザが、さまざまな地点における放射性物質の拡散状況の変化の様子を、リアルタイムに、又は、測定された日時を柔軟に変化させながら視認できるようにすることを目的とする。
【課題を解決するための手段】
【０００６】
上記課題を解決するために、本発明の第１の態様においては、それぞれ異なる移動車両に搭載されて放射線量を測定する複数の測定装置と、複数の測定装置が測定した放射線量に対応する複数の測定データを管理するデータ管理装置と、測定装置が測定したデータに関連する画像を表示する表示装置とを備える測定システムを提供する。
【０００７】
上記の複数の測定装置は、複数の位置における放射線量を測定する測定部と、測定部が放射線量を測定した複数の位置を示す複数の位置情報、及び、測定部が放射線量を測定した日時を示す日時情報とを取得する情報取得部と、測定部が測定した放射線量、位置情報及び日時情報に基づいて複数の測定データを生成するデータ生成部と、複数の測定データをデータ管理装置に送信する通信制御部とを有する。
【０００８】
上記のデータ管理装置は、複数の測定装置から複数の測定データを受信する送受信部と、複数の測定データを記憶する記憶部と、表示装置から、表示装置のユーザにより選択された期間を示す期間情報を取得する期間情報取得部と、複数の測定データに基づいて、期間情報に対応する測定画像を生成する測定画像生成部と、複数の測定画像を表示装置に送信する画像送信部とを有する。
【０００９】
上記の表示装置は、地図画像を取得する地図画像取得部と、期間情報を取得する指示取得部と、期間情報をデータ管理装置に送信する情報送信部と、データ管理装置から、期間情報に対応する測定画像を取得する測定画像取得部と、地図画像に測定画像が重畳された表示画像を表示する画像表示部とを有する。
【００１０】
一例として、測定画像生成部は、送受信部が測定装置から測定データを受信するたびに測定画像を生成し、画像表示部は、データ管理装置から測定画像を受信するたびに表示画像を更新する。情報取得部は、移動車両の走行経路情報をさらに取得し、測定画像生成部は、走行経路情報に基づいて測定画像を生成してもよい。
【００１１】
上記のデータ管理装置は、測定データを補正する補正部をさらに有し、送受信部は、複数の測定装置が予め定められた基準位置で測定した放射線量に対応する基準測定データを受信し、記憶部は、基準位置で測定された放射線量の基準データを記憶し、補正部は、基準測定データ及び基準データに基づいて測定装置に対応する補正係数を生成し、測定画像生成部は、補正係数に基づいて測定画像を生成してもよい。
【００１２】
データ管理装置は、放射線量に応じて表示態様を変化させる放射線量表示部をさらに有し、データ管理装置は、表示態様を変化させる放射線量の閾値を生成する閾値生成部をさらに有し、放射線量表示部は、通信制御部が受信した閾値と測定部が測定した放射線量とに応じて表示態様を変化させてもよい。
【００１３】
さらに、データ管理装置は、測定装置が放射線量を測定する予定の位置における放射線量の予測値を算出する予測値算出部をさらに有し、送受信部は、測定装置から現在の位置情報を取得し、予測値算出部は、記憶部が記憶している複数の測定データ及び送受信部が取得した現在の位置情報に基づいて予測値を算出し、閾値生成部は、算出された予測値に基づいて閾値を生成してもよい。
【００１４】
上記の測定装置における通信制御部は、測定部が放射線量を測定する測定間隔よりも長い送信間隔で測定データをデータ管理装置に送信してもよい。
【００１５】
本発明の第２の態様においては、コンピュータに、それぞれ異なる移動車両に搭載された複数の測定装置が複数の位置において測定した放射線量、複数の測定装置が測定した位置に対応する位置情報、及び、複数の測定装置が測定した日時に対応する日時情報に基づいて画像を表示装置に表示させるプログラムを提供する。本プログラムは、コンピュータに、放射線量に基づいて生成された、放射線量、位置情報及び日時情報を含む複数の測定データを受信するステップと、表示装置のユーザにより選択された期間を示す期間情報を取得するステップと、複数の測定データに基づいて、期間情報に対応する測定画像を生成するステップと、測定画像を表示装置に表示させるステップとを実行させる。
【００１６】
なお、上記の発明の概要は、本発明の必要な特徴の全てを列挙したものではない。また、これらの特徴群のサブコンビネーションもまた、発明となりうる。
【発明の効果】
【００１７】
本発明によれば、本測定システムのユーザが、さまざまな地点における放射性物質の拡散状況の変化の様子を、リアルタイムに、又は、測定された日時を柔軟に変化させながら視認することができるという効果を奏する。
【図面の簡単な説明】
【００１８】
【図１】第１の実施形態の測定システムの構成を示す。
【図２】第１の実施形態の測定装置の構成を示す。
【図３】第１の実施形態のデータ管理装置の構成を示す。
【図４】第１の実施形態の表示装置の構成を示す。
【図５】第１の実施形態の測定システムにおける通信シーケンスを示す。
【図６Ａ】第１の実施形態の表示装置において表示される測定画像の一例を示す。
【図６Ｂ】図６Ａの測定画像に重畳される地図画像の一例を示す。
【図６Ｃ】図６Ａの測定画像と図６Ｂの地図画像とを重畳した表示画像の一例を示す。
【図７】第１の実施形態の表示装置において表示される測定画像の一例を示す。
【図８】表示装置においてユーザの指示を取得するための画像の一例を示す。
【図９】第２の実施形態のデータ管理装置の構成を示す。
【図１０】第３の実施形態の測定装置の構成を示す。
【図１１】第３の実施形態のデータ管理装置の構成を示す。
【図１２】第４の実施形態のコンピュータの構成を示す。
【発明を実施するための形態】
【００１９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２０】
＜第１の実施形態＞
［測定システム１０の構成］
図１は、第１の実施形態の測定システム１０の構成を示す。測定システム１０は、複数の測定装置１００（測定装置１００−１、・・・、測定装置１００−ｎ、ただしｎは２以上の整数）、データ管理装置２００及び表示装置３００を備える。それぞれの測定装置１００とデータ管理装置２００、及び、データ管理装置２００と表示装置３００は、ネットワーク５０を介して互いにデータを送受信する。ネットワーク５０は、例えばインターネットである。ネットワーク５０は、携帯電話網又は電話通信網を含んでもよい。
【００２１】
複数の測定装置１００は、それぞれ異なる移動車両に搭載されて放射線量を測定する。データ管理装置２００は、複数の測定装置１００が測定した放射線量に対応する複数の測定データを管理する。表示装置３００は、測定装置１００が測定したデータに関連する画像を表示する。
【００２２】
［測定装置１００の構成］
図２は、第１の実施形態の測定装置１００の構成を示す。測定装置１００は、測定部１０２、情報取得部１０４、データ生成部１０６及び通信制御部１０８を有する。測定部１０２は、複数の位置における放射線量を測定する。測定部１０２は、例えば、測定された放射線量に応じた数のパルスを出力するガイガーカウンタである。測定部１０２は、ガスシンチレーション方式及び電離箱方式のいずれの方式の測定器を有してもよい。
【００２３】
情報取得部１０４は、測定部１０２が放射線量を測定した複数の位置を示す複数の位置情報と、測定部１０２が放射線量を測定した日時を示す日時情報とを取得する。一例として、情報取得部１０４は、ＧＰＳ衛星から受信したデータに基づいて移動車両の位置情報及び日時情報を取得するＧＰＳ受信機を含む。
【００２４】
データ生成部１０６は、測定部１０２が測定した放射線量、位置情報及び日時情報に基づいて複数の測定データを生成する。具体的には、データ生成部１０６は、測定部１０２が放射線量を測定するたびに情報取得部１０４を介して位置情報を取得し、放射線量、位置情報及び日時情報を対応づけた測定データを生成する。データ生成部１０６は、放射性物質に含まれる同位元素の組成を測定部１０２から取得し、同位元素の組成を示す情報を含む測定データを生成してもよい。データ生成部１０６は、生成した測定データを一時的にメモリ等の記憶素子に記憶させてもよい。
【００２５】
通信制御部１０８は、複数の測定データをデータ管理装置２００に送信する。具体的には、通信制御部１０８は、複数の測定データとともに、測定装置１００の識別番号を含むデータパケットを送信してもよい。通信制御部１０８は、例えば携帯電話網に接続される無線通信部を有し、携帯電話回線により測定データを送信する。
【００２６】
通信制御部１０８は、測定部１０２が放射線量を測定する測定間隔よりも長い送信間隔で測定データをデータ管理装置２００に送信してもよい。具体的には、通信制御部１０８はメモリ等の記憶素子を有し、データ生成部１０６が生成したデータをバッファリングする。一例として、通信制御部１０８は、測定部１０２が放射線量を測定する時間間隔よりも長い所定時間が経過するごとに、バッファリングしたデータをデータ管理装置２００に送信する。通信制御部１０８は、予め定められた量の測定データが蓄積された時点で、測定データをデータ管理装置２００に送信してもよい。
【００２７】
測定装置１００は、通信制御部１０８が測定データを送信する間隔の指示を、データ管理装置２００から受けてもよい。測定装置１００は、放射線量を測定する測定間隔及び送信間隔の指示をデータ管理装置２００から受けてもよい。一例として、データ管理装置２００は、複数の測定装置１００から受信する複数の測定データの量に基づいて定めた送信間隔を複数の測定装置１００に通知する。例えば、データ管理装置２００は、単位時間当たりの測定データの量が多ければ多いほど、送信間隔を小さくするように測定装置１００に指示する。
【００２８】
測定装置１００は、測定装置１００が搭載される移動車両のエンジンの起動に連動して起動してもよい。例えば、測定装置１００は、移動車両から起動信号を取得すると測定を開始する。測定装置１００は、移動車両のエンジンが停止すると、測定を終了してもよい。測定装置１００は、移動車両のエンジンの状態に連動して動作することにより、ユーザが容易に操作できるとともに、測定装置１００の駆動に用いられるバッテリーの寿命を長くすることができる。
【００２９】
［データ管理装置２００の構成］
図３は、第１の実施形態のデータ管理装置２００の構成を示す。データ管理装置２００は、送受信部２０２、記憶部２０４、測定画像生成部２０８及び画像送信部２１０を有する。送受信部２０２は、ネットワーク５０を介して、複数の測定装置１００から複数の測定データを受信する。一例として、送受信部２０２は、ネットワーク５０と接続される通信インターフェイス部を有する。
【００３０】
記憶部２０４は、送受信部２０２が受信した複数の測定データを記憶する。記憶部２０４は、例えばプロセッサによって書き込みアクセス及び読み出し書き込みができるＲＡＭ又はハードディスク等の記憶媒体である。
【００３１】
期間情報取得部２０６は、表示装置３００のユーザにより指定された期間を示す期間情報を取得する。具体的には、期間情報取得部２０６は、表示装置３００のユーザにより入力された、どの期間に取得された測定データに関連する画像を表示すべきかを示す期間情報を取得する。例えば、表示装置３００のユーザが、２０１２年３月１日から３月１０日を指定した場合には、期間情報取得部２０６は、当該期間を示す情報を取得する。
【００３２】
測定画像生成部２０８は、複数の測定データに基づいて、期間情報取得部２０６が取得した期間情報に対応する測定画像を生成する。例えば、測定画像生成部２０８は、記憶部２０４に記憶されている複数の測定データを検索して、それぞれの測定データが含む日時情報に対応する日時が、表示装置３００から指定された期間に含まれている複数の測定データを選択する。
【００３３】
測定画像生成部２０８は、選択された複数の測定データが含む位置情報に対応する位置に対応づけて、選択された複数の測定データが示す放射線量に対応する表示態様の測定画像を生成する。例えば、測定画像生成部２０８は、それぞれの位置に対応する座標において表示装置３００に表示される、放射線量に応じて異なる色、模様又は大きさを有する画像を生成する。
【００３４】
測定画像生成部２０８は、表示装置３００から取得した表示領域を示す情報に基づいて、測定画像を生成してもよい。例えば、測定画像生成部２０８は、測定画像が表示する領域の四隅の位置情報を取得し、取得した位置情報によって定まる領域内で測定されたデータを含む測定画像を生成する。測定画像生成部２０８は、表示装置３００から、表示領域を拡大又は縮小する指示にしたがって、測定画像が表示する領域を変化させてもよい。
【００３５】
測定画像生成部２０８は、送受信部２０２が測定装置１００から測定データを受信するたびに測定画像を生成してもよい。例えば、測定画像生成部２０８は、送受信部２０２が測定装置１００から複数の測定データを含むデータパケットを受信するたびに測定画像を生成する。測定画像生成部２０８は、測定装置１００から予め定められた数のデータパケットを受信するたびに測定画像を生成してもよい。測定画像生成部２０８は、複数の測定装置１００から受信した測定データに含まれている測定データの合計の数が予め定められた閾値よりも大きくなると測定画像を生成してもよい。
【００３６】
画像送信部２１０は、測定画像生成部２０８が生成した測定画像を表示装置３００に送信する。例えば、画像送信部２１０は、測定画像生成部２０８が測定画像を生成するたびに、ＨＴＴＰを用いて当該測定画像を表示装置３００に送信する。画像送信部２１０は、表示装置３００から測定画像の要求があった場合に、測定画像を表示装置３００に送信してもよい。画像送信部２１０は、表示装置３００から測定画像を生成する対象とする期間を示す情報を受信すると、予め測定画像生成部２０８が生成した、複数の期間に対応する複数の測定画像を検索して、受信した期間を示す情報に対応する測定画像を選択した後に、選択した測定画像を表示装置３００に送信してもよい。
【００３７】
［表示装置３００の構成］
図４は、第１の実施形態の表示装置３００の構成を示す。表示装置３００は、地図画像取得部３０２、指示取得部３０４、情報送信部３０６、測定画像取得部３０８及び画像表示部３１０を有する。表示装置３００は、ユーザの操作に応じてＨＴＴＰによってデータ管理装置２００にアクセスして取得した画像をＷｅｂブラウザで表示する。表示装置３００が、例えばJavaScript（登録商標）を用いてデータ管理装置２００で生成された測定画像を表示することで、ユーザは、容易な操作で測定画像を見ることができる。
【００３８】
地図画像取得部３０２は、ネットワーク５０を介して、例えば地理情報システム（ＧＩＳ）から地図画像を取得する。地図画像取得部３０２は、データ管理装置２００から地図画像を取得してもよい。地図画像取得部３０２は、予め表示装置３００の記憶媒体に記憶されている地図画像を取得してもよい。ここで、地図画像とは、有体物の位置を表示する画像である。具体的には、地図画像は、国、都道府県及び市区町村の行政界、並びに、道路及び河川などの地理的情報を示す画像である。
【００３９】
指示取得部３０４は、ユーザが選択した期間を示す期間情報を取得する。例えば、指示取得部３０４は、ユーザが期間を入力する画像を表示し、ユーザにより入力又は選択された期間に対応する期間情報を取得する。情報送信部３０６は、指示取得部３０４が取得した期間情報をデータ管理装置２００に送信する。指示取得部３０４は、ネットワーク５０を介してデータ管理装置２００との間でデータの送受信をする通信処理部を含んでもよい。
【００４０】
指示取得部３０４は、ユーザが選択した表示範囲を示す情報を取得してもよい。例えば、指示取得部３０４は、ユーザによる表示画像の拡大又は縮小の指示を取得する。指示取得部３０４は、表示画像の縮尺を取得し、縮尺に応じて定められる表示地域の四隅の位置情報を取得してもよい。
【００４１】
測定画像取得部３０８は、データ管理装置２００から、期間情報に対応する測定画像を取得する。具体的には、測定画像取得部３０８は、データ管理装置２００が記憶している複数の測定データのうち、期間情報に対応する期間に測定された複数のデータに基づいて生成された測定画像を取得する。
【００４２】
画像表示部３１０は、地図画像取得部３０２が取得した地図画像に測定画像が重畳された表示画像を表示する。具体的には、画像表示部３１０は、地図画像に示される位置において取得された測定データに対応する画像データが、地図画像上の対応する位置に表示されるように、地図画像と測定画像とを重ね合わせて表示する。画像表示部３１０は、地図画像に測定画像をアルファブレンドして表示してもよい。画像表示部３１０は、地図画像と測定画像とが重畳された表示画像をデータ管理装置２００から取得して、当該表示画像を表示してもよい。
【００４３】
表示装置３００は、ユーザから指定された時間ごとにデータ管理装置２００から測定画像を取得して、自動的に表示画像を更新してもよい。表示装置３００は、ユーザから指定された表示期間、表示間隔、及び、画面切り替え間隔とに基づいて、指定された期間に測定されたデータに基づく測定画像を、指定された間隔で更新しながら表示してもよい。例えば、画像表示部３１０は、３月１日から３月１０日までの午前中に対応する測定画像を１日間隔で表示する指示をユーザから取得すると、例えば５秒間隔で３月１日から３月１０日までの１日ごとの測定画像を自動的に切り替えて表示する。
【００４４】
画像表示部３１０は、ユーザが選択した期間に現在の時刻が含まれている場合には、データ管理装置から測定画像を受信するたびに表示画像を更新してもよい。例えば、指示取得部３０４は、２０１２年３月１日に、当日の測定データを表示するようにユーザから指示を受けた場合には、データ管理装置２００が当日の測定データを取得して新たな測定画像を生成するたびに、表示画像を更新する。
【００４５】
［通信シーケンス］
図５は、第１の実施形態の測定システム１０における通信シーケンスを示す。図５においては、測定システム１０が測定装置１００−１及び測定装置１００−２を備え、測定装置１００−１及び測定装置１００−２のそれぞれが異なるタイミングで放射線量を測定する場合を示している。
【００４６】
測定装置１００−２は、位置情報を取得した後に（Ｓ１０２）、放射線量を測定する（Ｓ１０４）。データ管理装置２００は、測定装置１００−１から第１測定データを取得すると、第１測定画像を生成する（Ｓ１０６）。データ管理装置２００は、生成した第１測定画像を表示装置３００に送信し、表示装置３００は、受信した第１測定画像を地図画像に重畳して表示する。
【００４７】
測定装置１００−２は、測定装置１００−１と非同期のタイミングで位置情報を取得した後に（Ｓ１０８）、放射線量を測定する（Ｓ１０８）。データ管理装置２００は、測定装置１００−２から測定データを取得すると、第２測定画像を生成する（Ｓ１１０）。データ管理装置２００は、生成した第２測定画像を表示装置３００に送信し、表示装置３００は、受信した第２測定画像を地図画像に重畳して表示する。
【００４８】
ここで、データ管理装置２００は、Ｓ１１２において第２測定画像を生成する場合に、第１測定データ及び第２測定データが、ユーザにより指定された日時に取得された測定データであれば、測定装置１００−２から取得した測定データ２とともに、測定装置１００−１から取得した第１測定データを含む第２測定画像を生成してもよい。
【００４９】
［表示される測定画像の一例］
図６Ａは、第１の実施形態の表示装置３００において表示される測定画像の一例を示す。図６Ｂは、図６Ａの測定画像に重畳される地図画像の一例を示す。図６Ｃは、図６Ａの測定画像と図６Ｂの地図画像とを重畳した表示画像の一例を示す。
【００５０】
測定画像生成部２０８は、測定装置１００−１及び測定装置１００−２から受信した測定データに基づいて、図６Ａに示した測定画像を生成する。同図において、ａ１からａ５の○は、測定装置１００−１が放射線を測定した位置を示す。ｂ１からｂ５の□は、測定装置１００−２が放射線を測定した位置を示す。一例として、図６Ａは、３月１日午前９時から１時間に渡って測定されたデータを示す。
【００５１】
測定装置１００−１を搭載した移動車両は、ａ１地点、ａ２地点、ａ３地点、ａ４地点、ａ５地点の順番に１５分ごとに移動し、それぞれの地点で位置情報を取得するとともに放射線量を測定する。それぞれの測定地点を結ぶ線は、放射線の強度に対応する表示態様を有している。図６Ａにおいては、放射線強度に応じて密度が異なる線が描かれている。例えば、ａ１地点からａ３地点の間は、実線で示されているので、点線で示されているａ３地点からａ４地点の間よりも放射線強度が高い。破線で示されているａ４地点からａ５地点の間は、測定された区間内で最も放射線強度が低い。
【００５２】
測定装置１００−２を搭載した移動車両は、ｂ１地点からｂ５地点に向けて１５分ごとに移動しながら放射線量を測定する。図６Ａにおいては、ｂ１地点からｂ３地点の間における放射線強度は、ｂ３地点からｂ５地点の間における放射線強度よりも低いことを示している。
【００５３】
測定装置１００は、走行経路情報を含む測定データを生成してデータ管理装置２００に送信してもよい。具体的には、放射線量を測定した位置を示す測定位置情報とともに、放射線量を測定した位置の間において通過した位置を示す移動位置情報を取得して、測定位置情報と移動位置情報とを含む測定データを生成してもよい。
【００５４】
データ管理装置２００においては、測定画像生成部２０８は、測定装置１００から取得した走行経路情報に基づいて、測定画像を生成してもよい。測定装置１００が測定位置情報よりも高い頻度で移動位置情報を取得することにより、測定画像生成部２０８は、例えば、図６Ｃに示すｂ３地点とｂ４地点との間のように、測定装置１００が交差点で移動の方向を変更した場合においても、放射線量を測定した複数の位置の間を曲線で結んだ測定画像を生成することができる。
【００５５】
図６Ｃに示す例においては、測定画像生成部２０８は、放射線量の強度に応じた密度の線を含む測定画像を生成したが、測定画像生成部２０８は、その他の態様で放射線量を示してもよい。例えば、測定画像生成部２０８は、放射線量に応じて色を変化させてもよく、色の濃さ又は線の太さを変化させてもよい。
【００５６】
測定画像生成部２０８は、測定装置１００の種別によって線の太さを変化させてもよい。例えば、測定画像生成部２０８は、定期的に運行される車両によって測定された測定データに基づいて測定画像を生成する場合には、日ごとの経路のばらつきの影響が測定画像に表れないように、定期的に運行されない車両による測定データに比べて太い線で表示される測定画像を生成する。
【００５７】
測定画像生成部２０８は、表示装置３００からの指示に基づいて、表示装置３００のユーザが表示画面上で選択した位置における放射線量を表示する測定画像を生成してもよい。表示装置３００は、表示装置３００のユーザが表示画面上で選択した位置における放射線量を示すデータをデータ管理装置２００から取得して、取得したデータを測定画像に重畳して表示してもよい。
【００５８】
図７は、第１の実施形態の表示装置３００において表示される測定画像の一例を示す。図７は、表示装置３００のユーザにより指定された期間に対応する３月１日午前９時から２時間に渡って測定されたデータを示している。つまり、図７は、図６Ｃに示されている測定画像に対して、ａ６地点、ａ７地点、ａ８地点、ａ９地点、ｂ６地点、ｂ７地点、ｂ８地点、ｂ９地点における放射線量の測定結果が追加された測定画像を示している。
【００５９】
このように、データ管理装置２００は、複数の測定装置１００において複数の異なる日時に測定された複数の測定データを記憶しているので、測定画像生成部２０８は、表示装置３００のユーザの指示に対応する測定データを選択することで、ユーザが所望する日時に対応する測定画像を速やかに生成することができる。
【００６０】
データ管理装置２００は、毎日、ほぼ同じ時刻にほぼ同じ位置で測定されたデータを記憶してもよい。例えば、測定装置１００が、定期的に運行される路線バスに搭載されている場合には、毎日、同じ運行経路上で放射線量を測定することができる。データ管理装置２００は、表示装置３００のユーザの指示により、複数の異なる日に対応する同じ時間帯の測定データに基づいて複数の測定画像を生成し、表示装置３００に送信してもよい。表示装置３００のユーザは、同じ時間帯の測定データの変化を視認することにより、放射線強度の変化の様子を容易に把握することができる。
【００６１】
［表示装置３００における操作画像］
図８は、表示装置３００においてユーザの指示を取得するための画像（以下、指示取得画像）の一例を示す。表示装置３００は、例えば、測定画像とともに指示取得画像を表示する。同図において、画像Ａは、表示装置３００に表示すべき測定日時の指定に用いる画像である。ユーザは、画像Ａを用いて測定データの表示を開始する日時と表示期間とを入力する。指示取得部３０４は、入力された日時及び表示期間を期間情報として取得する。指示取得部３０４は、測定データを表示するか否かを切り替える指示をユーザから取得してもよい。
【００６２】
画像Ｂは、表示装置３００に表示する測定画像の透過率の指定に用いる画像である。測定画像の透過率とは、測定画像と地図画像とが重畳されたときに、測定画像を透過して地図画像を視認できる度合いに対応する。透過率が０％の場合には、ユーザは、測定画像に重なっている地図画像を視認することができない。透過率が１００％の場合には測定画像は透明なので、ユーザは地図画像を明確に視認することができる。
【００６３】
画像表示部３１０は、ユーザが指定した透過率に基づいて、測定画像と重畳画像とを合成するアルファブレンドの係数（α値）を選択してもよい。ユーザが測定画像の透過率を選択できることにより、ユーザは、透過率を小さくした状態で測定データを明確に視認した後に、必要に応じて透過率を大きくして地図画像が示す地名などの情報を視認することができる。
【００６４】
画像Ｃは、表示装置３００に表示する測定画像の大きさの指定に用いる画像である。測定画像の大きさとは、例えば、測定装置１００が放射線量を測定した位置を結ぶ線の太さである。
【００６５】
画像Ｄは、表示装置３００に表示する測定画像に対応する放射線量の単位の指定に用いる画像である。指示取得部３０４は、画像Ｄをユーザインターフェイスとして、ユーザが選択した表示単位を示す単位情報を取得してもよい。ユーザは、例えば、放射線量の単位としてμＳｖ／ｈを用いるかＣＰＭを用いるかを選択することができる。図８においては、ユーザが指示画像Ｄ１をクリックするたびに、測定データの表示単位が切り替えられる。
【００６６】
情報送信部３０６は、単位を示す単位情報をデータ管理装置２００に送信してもよい。一例として、データ管理装置２００は、測定データを変換して単位情報に対応する変換データを算出するための変換式を測定装置１００に対応づけて記憶する変換式記憶部、及び、変換式に基づいて変換データを生成する変換データ生成部をさらに有する。測定画像生成部２０８は、変換データ生成部が生成した変換データに基づいて、ユーザにより選択された単位に基づく測定画像を生成する。
【００６７】
以上のとおり、第１の実施形態の測定システム１０によれば、複数の測定装置１００において、さまざまな日時において取得された測定データに基づいて、表示装置３００のユーザが任意の日時又は期間において測定された放射線量を視認することができる。放射性量は、季節、天候又は時間帯などの要因によって変化する。測定システム１０によれば、１時間ごと、１日ごとといった単位で測定画像を柔軟に切り替えて表示できるので、ユーザは、恒常的な高線量スポット、変動的な高線量スポットを容易に探索することができる。
【００６８】
＜第２の実施形態＞
［測定データの補正をする］
図９は、第２の実施形態のデータ管理装置２００の構成を示す。同図に示すデータ管理装置２００は、補正部２１２をさらに有する点で図３に示したデータ管理装置２００と異なる。複数の測定装置１００のそれぞれが有する測定部１０２の特性にばらつきがある場合には、それぞれの測定部１０２によって測定された放射線量が正確な値を示しているとは限らない。そこで、データ管理装置２００は、以下の手順により、測定データの精度を高めるべく補正をしてもよい。
【００６９】
まず、記憶部２０４は、予め定められた基準位置で測定された放射線量に対応する基準データを記憶する。基準位置とは、高精度で測定された放射線強度の情報を取得できる位置、又は、予め定められた強度の放射線が放射されている位置であり、例えば放射線モニタリングポストである。
【００７０】
データ管理装置２００は、例えば、Ａ地点のモニタリングポスト及びＢ地点のモニタリングポストにおいて高精度で測定された放射線量を取得し、それぞれをＡ地点基準データ及びＢ地点基準データとして記憶部２０４に記憶する。データ管理装置２００は、さまざまな基準位置の基準データを管理しているサーバ、又は、基準位置に設置された高精度の測定器から基準データを取得してよい。
【００７１】
送受信部２０２は、複数の測定装置１００が基準位置で測定した放射線量に対応する基準測定データを受信する。データ管理装置２００は、測定装置１００から基準測定データを受信したときに、対応する基準位置における基準データを取得して記憶部２０４に保存してもよい。
【００７２】
補正部２１２は、測定装置１００から受信した測定データを補正する。具体的には、補正部２１２は、基準測定データと基準データとの差に基づいて測定装置１００に対応する補正係数を生成する。例えば、Ａ地点基準データが０．５０μＳｖ／ｈであるにもかかわらず、測定装置１００−１がＡ地点で測定した基準測定データが０．４０μＳｖ／ｈを示している場合には、測定装置１００−１の測定データに対する補正係数を＋０．１０μＳｖ／ｈと算出する。Ｂ地点基準データが１．００μＳｖ／ｈであるにもかかわらず、測定装置１００−２がＢ地点で測定した基準測定データが１．０５μＳｖ／ｈを示している場合には、測定装置１００−２の測定データに対する補正係数を−０．０５μＳｖ／ｈと算出する。
【００７３】
補正部２１２は、複数の基準データに基づいて補正係数を算出してもよい。例えば、複数の基準データのそれぞれに対して仮補正係数を算出した上で、複数の仮補正係数の平均値を算出することにより補正係数を生成してもよい。補正部２１２は、複数の基準データの大きさのそれぞれに対する補正係数を算出してもよい。
【００７４】
補正部２１２は、複数の測定装置１００に対して、共通の補正係数を用いてもよい。例えば、補正部２１２は、複数の測定装置１００のうちの一部の測定装置１００から基準測定データを取得して、それぞれの測定装置１００に対応する仮補正係数を生成する。補正部２１２は、生成した複数の仮補正係数の平均値を算出することで、複数の測定装置１００に対して共通に使用される補正係数を算出してもよい。
【００７５】
測定画像生成部２０８は、補正係数に基づいて測定画像を生成する。具体的には、測定画像生成部２０８は、測定装置１００から受信した測定データに補正係数を加算、減算、乗算又は除算することにより補正測定データを算出し、補正測定データに対応する測定画像を生成する。例えば、測定装置１００−１に対する補正係数が＋０．１０μＳｖ／ｈである場合に、測定装置１００−１から０．７μＳｖ／ｈの測定データを受信すると、測定画像生成部２０８は、補正測定データ０．８０μＳｖ／ｈを算出して測定画像を生成する。
【００７６】
データ管理装置２００は、補正部２１２において生成した補正係数を複数の測定装置１００に送信してもよい。データ管理装置２００は、複数の測定装置１００のそれぞれに、対応する補正係数を送信してもよく、共通の補正係数を複数の測定装置１００に一斉送信してもよい。複数の測定装置１００は、取得した補正係数に基づいて測定データを補正した後に、補正後の測定データをデータ管理装置２００に送信してもよい。
【００７７】
第２の実施形態の測定システム１０によれば、測定部１０２の精度が低い場合であっても、正しい測定データを得ることができる。多数の測定装置１００を用いて放射線強度を測定する場合に、それぞれの測定装置１００に高精度の測定部１０２を搭載すると大きな費用を要する。本実施形態のように、モニタリングポストを利用して補正をすることにより、多数の測定装置１００を用いた測定を低コストで実現することができるという効果を奏する。
【００７８】
＜第３の実施形態＞
［測定装置の警告表示の閾値を変化させる］
図１０は、第３の実施形態の測定装置１００の構成を示す。図１１は、第３の実施形態のデータ管理装置２００の構成を示す。図１０に示す測定装置１００は、放射線量表示部１１０をさらに有する点で図２に示した測定装置１００と異なる。図１１に示すデータ管理装置２００は、閾値生成部２１４をさらに有する点で図３に示したデータ管理装置２００と異なる。
【００７９】
放射線量表示部１１０は、例えば、測定装置１００のユーザが視認できる位置に設けられており、放射線量に応じて表示態様を変化させる。一例として、放射線量表示部１１０は複数の発光ダイオードを有し、放射線量が大きいほど多くの発光ダイオードを点灯させて警告する。放射線量表示部１１０は、放射線量に応じて表示する色を変化させてもよく、放射線量に応じたメッセージを表示してもよい。放射線量表示部１１０は、表示態様として、放射線量に応じて音量又は音質が変化する音響を用いてもよい。
【００８０】
閾値生成部２１４は、放射線量表示部１１０の表示態様を変化させる放射線量の閾値を生成する。測定装置１００は、閾値生成部２１４で生成された閾値をデータ管理装置２００から取得し、放射線量表示部１１０は、通信制御部１０８が受信した閾値に基づいて、表示態様を変化させる。
【００８１】
例えば、放射線量表示部１１０が３つの発光ダイオードを有している場合に、閾値生成部２１４は、１つ目の発光ダイオードを点灯させる放射線量に対応する第１閾値（例えば０．３０μＳｖ／ｈ）、２つ目の発光ダイオードを点灯させる放射線量に対応する第２閾値（例えば０．７０μＳｖ／ｈ）、及び、３つ目の発光ダイオードを点灯させる放射線量に対応する第３閾値（例えば１．００μＳｖ／ｈ）を生成する。
【００８２】
放射線量表示部１１０は、測定部１０２において測定された測定データを閾値と比較し、何個の発光ダイオードを点灯するかを決定する。例えば、放射線量表示部１１０は、測定データが０．５０μＳｖ／ｈである場合には、測定データが第１閾値よりも大きいので、１つ目の発光ダイオードを点灯する。放射線量表示部１１０は、測定データが０．８０μＳｖ／ｈである場合には、測定データが第２閾値よりも大きいので、１つ目と２つ目の発光ダイオードを点灯する。
【００８３】
閾値生成部２１４は、測定装置１００から受信した位置情報に基づいて、閾値を生成してもよい。例えば、閾値生成部２１４は、測定装置１００の位置における環境条件に応じて、閾値を変更する。具体的には、測定装置１００が、児童施設、学校、老人施設のように、放射線被曝量の許容値が小さい人がいる施設の近くに位置している場合には、閾値を小さくするように変更することで、比較的低い放射線量において、測定装置１００に発光ダイオードを点灯させて警告する。
【００８４】
データ管理装置２００が、位置情報と施設情報とを関連づけて記憶し、これらの情報に基づいて決定した閾値を測定装置１００に送信することにより、測定装置１００が施設情報を記憶する必要がない。その結果、個々の測定装置１００が、施設の移転などに伴う施設情報の更新をすることなく、データ管理装置２００で一元管理できるという効果を奏する。
【００８５】
データ管理装置２００は、測定装置１００が放射線量を測定する予定の位置における放射線量の予測値を算出する予測値算出部２１６をさらに有してもよい。具体的には、予測値算出部２１６は、記憶部２０４が記憶している複数の測定データ及び送受信部２０２が取得した位置情報に基づいて、放射線量の予測値を算出する。例えば、予測値算出部２１６は、測定装置１００から取得した過去の複数の位置情報に基づいて、測定装置１００が向かっている方向を認識し、向かっている先の地点の位置情報に対応づけて記憶部２０４が記憶している放射線量を予測値とする。一例として、予測値算出部２１６は、測定装置１００が５分後に通過すると予測されるエリアにおいて１日前に測定された放射線量を記憶部２０４から取得し、取得した測定値を予測値としてもよい。
【００８６】
閾値生成部２１４は、予測値算出部２１６が生成した予測値に基づいて閾値を生成する。例えば、閾値生成部２１４は、予測値が、現時点における複数の閾値の最大値よりも大きい場合、又は、複数の閾値の最小値よりも小さい場合に、予測値を複数の閾値の中間の値にするべく閾値を変更してもよい。具体的には、現時点における第１閾値、第２閾値、第３閾値が、それぞれ０．３０μＳｖ／ｈ、０．７０μＳｖ／ｈ、１．００μＳｖ／ｈである場合に、予測値が１．１０μＳｖ／ｈであるとすると、補正部２１２は、第１閾値、第２閾値、第３閾値をそれぞれ０．８μＳｖ／ｈ、１．１０μＳｖ／ｈ、１．４０μＳｖ／ｈにする。
【００８７】
閾値生成部２１４が上記のようにして閾値を生成することにより、放射線量が最大の閾値よりも大きい場合、又は、最小の閾値よりも小さい場合においても、全ての発光ダイオードが常に点灯している状態、又は、全ての発光ダイオードが常に消灯している状態になることを防止できる。その結果、測定装置１００のユーザは、放射線量によらず、位置による放射線量の変化を視認することができる。
【００８８】
閾値生成部２１４は、予測値を算出する対象とするエリアにおける予測値の変動幅の大きさに基づいて、複数の閾値間の差を決定してもよい。例えば、閾値生成部２１４は、予測値の変動幅が大きいほど閾値間の差を大きくし、予測値の変動幅が小さいほど閾値間の差を小さくする。閾値生成部２１４が上記のように閾値を生成することにより、位置による放射線量の変動幅が小さい場合であっても、測定装置１００のユーザが位置による放射線量の変動を視認することができる。
【００８９】
閾値生成部２１４は、測定装置１００のユーザの種別に応じて、閾値を変化させてもよい。例えば、閾値生成部２１４は、ユーザの年齢を示す情報を取得し、ユーザが所定の年齢より小さい場合に、閾値を小さくするように変更してもよい。閾値生成部２１４が閾値を小さくすることにより、測定装置１００においては、より小さな放射線量において発光ダイオードが点灯する。したがって、例えば、放射線被曝量の許容値が小さい子供が多量の放射線を被曝することを防止できる。
【００９０】
＜第４の実施形態＞
［コンピュータプログラム］
図１２は、第４の実施形態のコンピュータ１０００の構成を示す。コンピュータ１０００は、ＣＰＵ５００、ＲＯＭ５１０、メモリ５２０、グラフィックコントローラ５３０、ディスプレイ５４０、通信インターフェイス５６０、通信コントローラ５５０、ディスクコントローラ５７０、ハードディスクドライブ５８０及びＣＤ−ＲＯＭドライブ５９０を備える。コンピュータ１０００は、ＣＰＵ５００がＲＯＭ５１０に格納されたプログラムを読み出して実行することにより、測定装置１００、データ管理装置２００及び表示装置３００として機能する。
【００９１】
コンピュータ１０００は、ＣＰＵ５００が、ディスクコントローラ５７０を介してハードディスクドライブ５８０に格納されたプログラムを読み出して実行することにより、測定装置１００、データ管理装置２００及び表示装置３００として機能してもよい。コンピュータ１０００は、ＣＰＵ５００が、ハードディスクドライブ５８０以外の記憶媒体に格納されたプログラムを読み出して実行することにより、測定装置１００、データ管理装置２００及び表示装置３００として機能してもよい。
【００９２】
具体的には、コンピュータ１０００が測定装置１００として機能する場合、ＣＰＵ５００は、プログラムを実行することにより、測定部１０２及びデータ生成部１０６として機能する。さらに、ＣＰＵ５００は、通信インターフェイス５６０及び通信コントローラ５５０と連携することにより、情報取得部１０４及び通信制御部１０８として機能する。放射線量に基づいて生成された複数の測定データを受信するステップと、複数の測定データをメモリ５２０に記憶するステップと、複数の測定データに対応する複数の測定画像を生成するステップと、複数の測定画像を表示装置３００に表示させるステップとを実行する。
【００９３】
コンピュータ１０００がデータ管理装置２００として機能する場合、ＣＰＵ５００は、プログラムを実行することにより、測定画像生成部２０８として機能する。さらに、ＣＰＵ５００は、通信インターフェイス５６０及び通信コントローラ５５０と連携することにより、送受信部２０２、期間情報取得部２０６及び画像送信部２１０として機能する。具体的には、ＣＰＵ５００は、放射線量に基づいて生成された複数の測定データを受信するステップと、表示装置３００のユーザにより選択された期間を示す期間情報を取得する巣ステップと、複数の測定データに対応する測定画像を生成するステップと、測定画像を表示装置３００に表示させるステップとを実行する。ＣＰＵ５００は、補正部２１２、として機能してもよい。
【００９４】
コンピュータ１０００がデータ管理装置２００として機能する場合、ＣＰＵ５００は、プログラムを実行することにより、測定画像生成部２０８として機能する。さらに、ＣＰＵ５００は、通信インターフェイス５６０及び通信コントローラ５５０と連携することにより、送受信部２０２、期間情報取得部２０６及び画像送信部２１０として機能する。具体的には、ＣＰＵ５００は、  複数の位置における放射線量を測定するステップと、放射線量を測定した複数の位置を示す複数の位置情報と、放射線量を測定した日時を示す日時情報とを取得するステップと、測定した放射線量、位置情報及び日時情報に基づいて複数の測定データを生成するステップと、  複数の測定データをデータ管理装置２００に送信するステップとを実行する。ＣＰＵ５００は、補正部２１２、閾値生成部２１４及び予測値算出部２１６として機能してもよい。
【００９５】
コンピュータ１０００が表示装置３００として機能する場合、ＣＰＵ５００は、通信インターフェイス５６０及び通信コントローラ５５０と連携することにより、地図画像取得部３０２、情報送信部３０６及び測定画像取得部３０８として機能する。ＣＰＵ５００は、ディスプレイ５４０と連携することにより、指示取得部３０４及び画像表示部３１０として機能してもよい。具体的には、ＣＰＵ５００は、地図画像を取得するステップと、期間情報を取得するステップと、期間情報をデータ管理装置２００に送信するステップと、データ管理装置２００から、期間情報に対応する測定画像を取得するステップと、地図画像に測定画像が重畳された表示画像を表示するステップとを実行する。
【００９６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９８】
１０・・・測定システム、５０・・・ネットワーク、１００・・・測定装置、１０２・・・測定部、１０４・・・情報取得部、１０６・・・データ生成部、１０８・・・通信制御部、１１０・・・表示部、２００・・・データ管理装置、２０２・・・送受信部、２０４・・・記憶部、２０６・・・期間情報取得部、２０８・・・測定画像生成部、２１０・・・画像送信部、２１２・・・補正部、２１４・・・閾値生成部、２１６・・・予測値算出部、３００・・・表示装置、３０２・・・地図画像取得部、３０４・・・指示取得部、３０６・・・情報送信部、３０８・・・測定画像取得部、３１０・・・画像表示部、５００・・・ＣＰＵ、５１０・・・ＲＯＭ、５２０・・・ＲＡＭ、５２０・・・メモリ、５３０・・・グラフィックコントローラ、５４０・・・ディスプレイ、５５０・・・通信コントローラ、５６０・・・通信インターフェイス、５７０・・・ディスクコントローラ、５８０・・・ハードディスクドライブ、５９０・・・ＣＤ−ＲＯＭドライブ
【図１】
2013200221.tif 000003
【図２】
2013200221.tif 000004
【図３】
2013200221.tif 000005
【図４】
2013200221.tif 000006
【図５】
2013200221.tif 000007
【図６Ａ】
2013200221.tif 000008
【図６Ｂ】
2013200221.tif 000009
【図６Ｃ】
2013200221.tif 000010
【図７】
2013200221.tif 000011
【図８】
2013200221.tif 000012
【図９】
2013200221.tif 000013
【図１０】
2013200221.tif 000014
【図１１】
2013200221.tif 000015
【図１２】
2013200221.tif 000016